(57)【特許請求の範囲】
【請求項１】
アクセス端末によって監視周波数チャネル番号を切り換えるための方法であって、
前記アクセス端末のエボリューションデータオプティマイズドセッションが閉じられた状態または初期設定プロセスにある場合に、前記アクセス端末によって、第１のセッションシードおよび第１のセクタパラメータメッセージに従って第１の予期される周波数チャネル番号を獲得するステップと、
前記第１の予期される周波数チャネル番号が現在の周波数チャネル番号と同一であるかを決定するステップであって、前記現在の周波数チャネル番号は、前記アクセス端末によって現在受信される信号の周波数チャネル番号である、ステップと、
前記第１の予期される周波数チャネル番号が前記現在の周波数チャネル番号とは異なると決定された場合、前記アクセス端末によって、前記第１のセッションシードとは異なる第２のセッションシードを生成するステップと、
前記アクセス端末によって、第２のセクタパラメータメッセージを受信するステップと、
前記アクセス端末によって、前記第２のセクタパラメータメッセージ、前記第２のセッションシード、および非コヒーレンスパラメータに従って第２の予期される周波数チャネル番号を獲得するステップと、
前記第２の予期される周波数チャネル番号が前記現在の周波数チャネル番号と同一である場合、前記アクセス端末によって、監視周波数チャネル番号を前記第２の予期される周波数チャネル番号に切り換えるステップと
を備えることを特徴とする方法。
【請求項２】
前記第２のセクタパラメータメッセージ、前記第２のセッションシード、および前記非コヒーレンスパラメータに従って前記第２の予期される周波数チャネル番号を前記獲得するステップは、
前記アクセス端末によって、前記第２のセクタパラメータメッセージにおける周波数チャネル番号の数量、前記第２のセッションシード、および前記非コヒーレンスパラメータに対してハッシュ計算を実行することによってハッシュインデックスを獲得するステップと、
前記アクセス端末によって、前記第２のセクタパラメータメッセージから、前記ハッシュインデックスに対応する前記第２の予期される周波数チャネル番号を獲得するステップとを特に備えることを特徴とする請求項１に記載の方法。
【請求項３】
前記アクセス端末によって、前記第１のセッションシードとは異なる第２のセッションシードを前記生成するステップの後に、
ネットワーク側に前記第２のセッションシードを送信して、前記ネットワーク側が、前記第２のセッションシードに従って、前記第２の予期される周波数チャネル番号と同一であり、かつ前記アクセス端末にデータを送信するために使用される送信周波数チャネル番号を獲得することができるようにするステップをさらに備えることを特徴とする請求項１または２に記載の方法。
【請求項４】
前記アクセス端末によって、前記第１のセッションシードおよび前記第１のセクタパラメータメッセージに従って前記第１の予期される周波数チャネル番号を前記獲得するステップの前に、
前記エボリューションデータオプティマイズドセッションが閉じられた状態または初期設定プロセスにあるかを決定して決定結果を獲得するステップと、
前記決定結果が、前記エボリューションデータオプティマイズドセッションがオフ状態ではないまたは初期設定プロセスにない場合に、前記アクセス端末によって、ネットワーク側に、前記エボリューションデータオプティマイズドセッションを閉じるために使用される通知メッセージを送信するステップと、前記アクセス端末によって、前記エボリューションデータオプティマイズドセッションを閉じるステップとをさらに備えることを特徴とする請求項１または２に記載の方法。
【請求項５】
前記第１の予期される周波数チャネル番号が前記現在の周波数チャネル番号とは異なると決定された場合、前記アクセス端末によって、前記第１のセッションシードとは異なる前記第２のセッションシードを前記生成するステップは、
前記第１の予期される周波数チャネル番号が前記現在の周波数チャネル番号とは異なると決定された場合、前記アクセス端末によって、前記監視周波数チャネル番号にキャンプオン(camping on)するステップと、
前記現在の周波数チャネル番号とは異なる前記第１の予期される周波数チャネル番号が獲得される回数が、前記第１のセクタパラメータメッセージにおける周波数チャネル番号の数量以上であるかを決定するステップと、
前記現在の周波数チャネル番号が前記第１の予期される周波数チャネル番号とは異なる前記回数が、前記第１のセクタパラメータメッセージにおける周波数チャネル番号の前記数量以上である場合、前記アクセス端末によって、前記第１のセッションシードとは異なる前記第２のセッションシードを生成するステップを備えることを特徴とする請求項１乃至４のいずれか一項に記載の方法。
【請求項６】
アクセス端末であって、
アクセス端末のエボリューションデータオプティマイズドセッションが閉じられた状態または初期設定プロセスにある場合、第１のセッションシードおよび第１のセクタパラメータメッセージに従って第１の予期される周波数チャネル番号を獲得し、前記第１の予期される周波数チャネル番号が現在の周波数チャネル番号と同一であるかを決定し、前記現在の周波数チャネル番号は、前記アクセス端末によって現在受信される信号の周波数チャネル番号であり、前記第１の予期される周波数チャネル番号が前記現在の周波数チャネル番号とは異なると決定された場合、前記第１のセッションシードとは異なる第２のセッションシードを生成するように構成された処理ユニットと、
第２のセクタパラメータメッセージを受信するように構成された受信ユニットと
を備え、
前記処理ユニットは、前記第２のセクタパラメータメッセージ、前記第２のセッションシード、および非コヒーレンスパラメータに従って第２の予期される周波数チャネル番号を獲得するようにさらに構成され、
前記第２の予期される周波数チャネル番号が前記現在の周波数チャネル番号と同一である場合、監視周波数チャネル番号を前記第２の予期される周波数チャネル番号に切り換えるように構成された切換えユニット
を備えることを特徴とするアクセス端末。
【請求項７】
前記処理ユニットは、
前記第２のセクタパラメータメッセージにおける周波数チャネル番号の数量、前記第２のセッションシード、および前記非コヒーレンスパラメータに対してハッシュ計算を実行することによってハッシュインデックスを獲得し、
前記第２のセクタパラメータメッセージから、前記ハッシュインデックスに対応する前記第２の予期される周波数チャネル番号を獲得するように特に構成されることを特徴とする請求項６に記載のアクセス端末。
【請求項８】
ネットワーク側に前記第２のセッションシードを送信して、前記ネットワーク側が、前記第２のセッションシードに従って、前記第２の予期される周波数チャネル番号と同一であり、かつ前記アクセス端末にデータを送信するために使用される送信周波数チャネル番号を獲得することができるようにするように構成される送信ユニットをさらに備えることを特徴とする請求項６または７に記載のアクセス端末。
【請求項９】
前記処理ユニットは、
前記アクセス端末が、前記第１のセッションシードおよび前記第１のセクタパラメータメッセージに従って前記第１の予期される周波数チャネル番号を獲得する前に、前記エボリューションデータオプティマイズドセッションが閉じられた状態または初期設定プロセスにあるかを決定して決定結果を獲得し、
前記決定結果が、前記エボリューションデータオプティマイズドセッションがオフ状態ではないまたは初期設定プロセスにない場合、ネットワーク側に、前記エボリューションデータオプティマイズドセッションを閉じるために使用される通知メッセージを送信し、および前記エボリューションデータオプティマイズドセッションを閉じるようにさらに構成されることを特徴とする請求項６または７に記載のアクセス端末。
【請求項１０】
前記処理ユニットは、
前記第１の予期される周波数チャネル番号が前記現在の周波数チャネル番号とは異なると決定された場合、前記監視周波数チャネル番号にキャンプオンし、前記現在の周波数チャネル番号とは異なる前記第１の予期される周波数チャネル番号が獲得される回数が、前記第１のセクタパラメータメッセージにおける周波数チャネル番号の数量以上であるかを決定し、
前記現在の周波数チャネル番号が前記第１の予期される周波数チャネル番号とは異なる前記回数が、前記第１のセクタパラメータメッセージにおける周波数チャネル番号の前記数量以上である場合、前記第１のセッションシードとは異なる前記第２のセッションシードを生成するように特に構成されることを特徴とする請求項６乃至９のいずれか一項に記載のアクセス端末。
【請求項１１】
アクセス端末であって
１または複数のプロセッサと、
メモリ、受信機、および１または複数のプログラムとを備え、前記１または複数のプログラムは、前記メモリに記憶され、前記１または複数のプロセッサによって実行されるように使用され、前記１または複数のプログラムは、
前記アクセス端末のエボリューションデータオプティマイズドセッションが閉じられた状態または初期設定プロセスにある場合、第１のセッションシードおよび第１のセクタパラメータメッセージに従って第１の予期される周波数チャネル番号を獲得するための命令と、
前記第１の予期される周波数チャネル番号が現在の周波数チャネル番号と同一であるかを決定するための命令であって、前記現在の周波数チャネル番号は、前記アクセス端末によって現在受信される信号の周波数チャネル番号である、命令と、
前記第１の予期される周波数チャネル番号が前記現在の周波数チャネル番号とは異なると決定された場合、前記アクセス端末によって、前記第１のセッションシードとは異なる第２のセッションシードを生成するための命令と、
前記受信機を使用することによって、第２のセクタパラメータメッセージを受信するための命令と、
前記第２のセクタパラメータメッセージ、前記第２のセッションシード、および非コヒーレンスパラメータに従って第２の予期される周波数チャネル番号を獲得するための命令と、
前記第２の予期される周波数チャネル番号が前記現在の周波数チャネル番号と同一である場合、前記アクセス端末によって、監視周波数チャネル番号を前記第２の予期される周波数チャネル番号に切り換えるための命令と
を備えることを特徴とするアクセス端末。
【請求項１２】
前記第２のセクタパラメータメッセージ、前記第２のセッションシード、および非コヒーレンスパラメータに従って第２の予期される周波数チャネル番号を獲得するための前記命令は、
前記アクセス端末によって、前記第２のセクタパラメータメッセージにおける周波数チャネル番号の数量、前記第２のセッションシード、および前記非コヒーレンスパラメータに対してハッシュ計算を実行することによってハッシュインデックスを獲得するための命令と、
前記アクセス端末によって、前記第２のセクタパラメータメッセージから、前記ハッシュインデックスに対応する前記第２の予期される周波数チャネル番号を獲得するための命令とを備えることを特徴とする請求項１１に記載のアクセス端末。
【請求項１３】
前記１または複数のプログラムは、
ネットワーク側に前記第２のセッションシードを送信して、前記ネットワーク側が、前記第２のセッションシードに従って、前記第２の予期される周波数チャネル番号と同一であり、かつ前記アクセス端末にデータを送信するために使用される送信周波数チャネル番号を獲得することができるようにするための命令をさらに備えることを特徴とする請求項１１または１２に記載のアクセス端末。
【請求項１４】
前記１または複数のプログラムは、
前記アクセス端末が、前記第１のセッションシードおよび前記第１のセクタパラメータメッセージに従って前記第１の予期される周波数チャネル番号を獲得する前に、前記エボリューションデータオプティマイズドセッションが閉じられた状態または初期設定プロセスにあるかを決定して決定結果を獲得するための命令と、
前記決定結果が、前記エボリューションデータオプティマイズドセッションがオフ状態ではないまたは初期設定プロセスにない場合、ネットワーク側に、前記エボリューションデータオプティマイズドセッションを閉じるために使用される通知メッセージを送信するため、および前記エボリューションデータオプティマイズドセッションを閉じるための命令とをさらに備えることを特徴とする請求項１１または１２に記載のアクセス端末。
【請求項１５】
前記第１の予期される周波数チャネル番号が前記現在の周波数チャネル番号とは異なると決定された場合、前記アクセス端末によって、前記第１のセッションシードとは異なる第２のセッションシードを生成するための前記命令は、
前記第１の予期される周波数チャネル番号が前記現在の周波数チャネル番号とは異なると決定された場合、前記アクセス端末によって、前記監視周波数チャネル番号にキャンプオンするための命令、および前記現在の周波数チャネル番号とは異なる前記第１の予期される周波数チャネル番号が獲得される回数が、前記第１のセクタパラメータメッセージにおける周波数チャネル番号の数量以上であるかを決定するための命令、ならびに
前記現在の周波数チャネル番号が前記第１の予期される周波数チャネル番号とは異なる前記回数が、前記第１のセクタパラメータメッセージにおける周波数チャネル番号の前記数量以上である場合、前記アクセス端末によって、前記第１のセッションシードとは異なる前記第２のセッションシードを生成するための命令を備えることを特徴とする請求項１１乃至１４のいずれか一項に記載のアクセス端末。
【請求項１６】
プログラムが記録されるコンピュータ可読記録媒体であって、前記プログラムは、実行時に、コンピュータに、
アクセス端末のエボリューションデータオプティマイズドセッションが閉じられた状態または初期設定プロセスにある場合に、前記アクセス端末によって、第１のセッションシードおよび第１のセクタパラメータメッセージに従って第１の予期される周波数チャネル番号を獲得するステップと、
前記第１の予期される周波数チャネル番号が現在の周波数チャネル番号と同一であるかを決定するステップであって、前記現在の周波数チャネル番号は、前記アクセス端末によって現在受信される信号の周波数チャネル番号である、ステップと、
前記第１の予期される周波数チャネル番号が前記現在の周波数チャネル番号とは異なると決定された場合に、前記アクセス端末によって、前記第１のセッションシードとは異なる第２のセッションシードを生成するステップと、
前記アクセス端末によって、第２のセクタパラメータメッセージを受信するステップと、
前記アクセス端末によって、前記第２のセクタパラメータメッセージ、前記第２のセッションシード、および非コヒーレンスパラメータに従って第２の予期される周波数チャネル番号を獲得するステップと、
前記第２の予期される周波数チャネル番号が前記現在の周波数チャネル番号と同一である場合に、前記アクセス端末によって、監視周波数チャネル番号を前記第２の予期される周波数チャネル番号に切り換えるステップと
を行わせることが可能であることを特徴とするコンピュータ可読記録媒体。
【請求項１７】
前記第２のセクタパラメータメッセージ、前記第２のセッションシード、および非コヒーレンスパラメータに従って前記第２の予期される周波数チャネル番号を獲得する前記ステップは、
前記アクセス端末によって、前記第２のセクタパラメータメッセージにおける周波数チャネル番号の数量、前記第２のセッションシード、および非コヒーレンスパラメータに対するハッシュ計算を実行することによってハッシュインデックスを獲得すること、および
前記アクセス端末によって、前記第２のセクタパラメータメッセージから、前記ハッシュインデックスに対応する前記第２の予期される周波数チャネル番号を獲得することを備えることを特徴とする請求項１６に記載のコンピュータ可読記録媒体。
【発明の詳細な説明】
【技術分野】
【０００１】
本発明は、通信技術の分野に関し、詳細には、アクセス端末によって監視周波数チャネル番号を切り換えるための方法、およびアクセス端末に関する。
【背景技術】
【０００２】
ワイヤレスデバイスによってインターネット（Ｉｎｔｅｒｎｅｔ）にアクセスするための増大する要求とともに、無線パケットデータサービスのための要求も増大する。ワイヤレスデバイスにより大きい帯域幅、より高いセキュリティ、およびより広いカバレッジを提供するため、エボリューションデータオプティマイズド（Ｅｖｏｌｕｔｉｏｎ−Ｄａｔａ  Ｏｐｔｉｍｉｚｅｄ、略してＥＶＤＯ）技術が現れ、広く適用される。
【０００３】
一般に、ＥＶＤＯ技術において、基地局が、複数の周波数チャネル番号を提供する。ＥＶＤＯ技術において、周波数チャネル番号の間で負荷平衡を保つために、基地局は、周波数チャネル番号にキャンプオン(camp on）するアクセス端末の数量をほぼ等しく維持する。したがって、アクセス端末は、基地局によって使用されるハッシュアルゴリズムと同一であるハッシュアルゴリズムを使用することによって、基地局によって配信される周波数チャネル番号リストから、予期される周波数チャネル番号を監視周波数チャネル番号として獲得する。具体的には、１または複数の周波数チャネル番号が、基地局によって配信される周波数チャネル番号リストにおいて提供され、アクセス端末が、周波数チャネル番号リストにおいて提供される１または複数の周波数チャネル番号から、監視周波数チャネル番号として役立つことが予期され得る周波数チャネル番号、すなわち、予期される周波数チャネル番号を獲得し、次に、アクセス端末の監視周波数チャネル番号を予期される周波数チャネル番号に切り換える。
【０００４】
しかし、従来技術において、アクセス端末によって獲得される予期される周波数チャネル番号は、アクセス端末によって現在受信される信号の周波数チャネル番号、すなわち、現在の周波数チャネル番号とは異なり、アクセス端末は、予期される周波数チャネル番号に切り換え、すなわち、アクセス端末は、監視周波数チャネル番号を、予期される周波数チャネル番号に切り換える。不完全なネットワークカバレッジなどの理由のため、劣悪な信号カバレッジなどの問題が、アクセス端末によって獲得される予期される周波数チャネル番号に存在することがある。結果として、アクセス端末は、監視周波数チャネル番号を切り換えることに失敗し、アクセス端末は、周波数チャネル番号を切り換えようと繰り返し試みる。この場合、アクセス端末のＥＶＤＯサービスは、利用できない。監視周波数チャネル番号を切り換えることの失敗によってもたらされるＥＶＤＯサービスの利用不能の技術的問題が従来技術において存在することを知ることができる。
【発明の概要】
【０００５】
本発明は、アクセス端末によって監視周波数チャネル番号を切り換えるための方法、およびアクセス端末を提供して、監視周波数チャネル番号を切り換えることの失敗によってもたらされるＥＶＤＯサービスの利用不能の、従来技術において存在する技術的問題を解決するように、かつ監視周波数チャネル番号を切り換えることの成功率、およびＥＶＤＯサービスのサービスの質を向上させるようにする。
【０００６】
第１の態様によれば、本発明の実施形態は、アクセス端末によって監視周波数チャネル番号を切り換えるための方法を提供し、方法は、
アクセス端末のエボリューションデータオプティマイズドセッションが閉じられた状態または初期設定プロセスにある場合、アクセス端末によって、第１のセッションシードおよび第１のセクタパラメータメッセージに従って第１の予期される周波数チャネル番号を獲得すること、
第１の予期される周波数チャネル番号が現在の周波数チャネル番号と同一であるかを決定することであって、現在の周波数チャネル番号は、アクセス端末によって現在、受信される信号の周波数チャネル番号であること、
第１の予期される周波数チャネル番号が現在の周波数チャネル番号とは異なると決定された場合、アクセス端末によって、第１のセッションシードとは異なる第２のセッションシードを生成すること、
アクセス端末によって、第２のセクタパラメータメッセージを受信すること、
アクセス端末によって、第２のセクタパラメータメッセージ、第２のセッションシード、および非コヒーレンスパラメータに従って第２の予期される周波数チャネル番号を獲得すること、および
第２の予期される周波数チャネル番号が現在の周波数チャネル番号と同一である場合、アクセス端末によって、監視周波数チャネル番号を第２の予期される周波数チャネル番号に切り換えることを含む。
【０００７】
第１の態様を参照して、第１の可能な実施様態において、第２のセクタパラメータメッセージ、第２のセッションシード、および非コヒーレンスパラメータに従って第２の予期される周波数チャネル番号を獲得することは、
アクセス端末によって、第２のセクタパラメータメッセージにおける周波数チャネル番号の数量、第２のセッションシード、および非コヒーレンスパラメータに対してハッシュ計算を実行することによってハッシュインデックスを獲得すること、および
アクセス端末によって、ハッシュインデックスに対応する第２の予期される周波数チャネル番号を第２のセクタパラメータメッセージから獲得することを特に含む。
【０００８】
第１の態様、または第１の態様の第１の可能な実施様態を参照して、第２の可能な実施様態において、アクセス端末によって、第１のセッションシードとは異なる第２のセッションシードを生成することの後に、方法は、
ネットワーク側に第２のセッションシードを送信して、ネットワーク側が、第２のセッションシードに従って、第２の予期される周波数チャネル番号と同一であり、かつアクセス端末にデータを送信するために使用される送信周波数チャネル番号を獲得することができるようにすることをさらに含む。
【０００９】
第１の態様、または第１の態様の第１もしくは第２の可能な実施様態を参照して、第３の可能な実施様態において、アクセス端末によって、第１のセッションシードおよび第１のセクタパラメータメッセージに従って第１の予期される周波数チャネル番号を獲得することの前に、方法は、
エボリューションデータオプティマイズドセッションが閉じられた状態または初期設定プロセスにあるかどうかを決定して決定結果を獲得すること、および
決定結果がいいえである場合、アクセス端末によって、ネットワーク側に、エボリューションデータオプティマイズドセッションを閉じるために使用される通知メッセージを送信すること、およびアクセス端末によって、エボリューションデータオプティマイズドセッションを閉じることをさらに含む。
【００１０】
第１の態様、または第１の態様の第１乃至第３の可能な実施様態のいずれか１つを参照して、第４の可能な実施様態において、第１の予期される周波数チャネル番号が現在の周波数チャネル番号とは異なると決定された場合、アクセス端末によって、第１のセッションシードとは異なる第２のセッションシードを生成することは、
第１の予期される周波数チャネル番号が現在の周波数チャネル番号とは異なると決定された場合、アクセス端末によって、監視周波数チャネル番号にキャンプオンすること、
現在の周波数チャネル番号とは異なる第１の予期される周波数チャネル番号が獲得される回数が、第１のセクタパラメータメッセージにおける周波数チャネル番号の数量以上であるかを決定すること、および
現在の周波数チャネル番号が第１の予期される周波数チャネル番号とは異なる回数が、第１のセクタパラメータメッセージにおける周波数チャネル番号の数量以上である場合、アクセス端末によって、第１のセッションシードとは異なる第２のセッションシードを生成することを含む。
【００１１】
第２の態様によれば、本発明の実施形態は、アクセス端末であって、
アクセス端末のエボリューションデータオプティマイズドセッションが閉じられた状態または初期設定プロセスにある場合、第１のセッションシードおよび第１のセクタパラメータメッセージに従って第１の予期される周波数チャネル番号を獲得し、第１の予期される周波数チャネル番号が現在の周波数チャネル番号と同一であるかを決定し、現在の周波数チャネル番号は、アクセス端末によって現在受信される信号の周波数チャネル番号であり、および第１の予期される周波数チャネル番号が現在の周波数チャネル番号とは異なると決定された場合、アクセス端末によって、第１のセッションシードとは異なる第２のセッションシードを生成するように構成された処理ユニットと、
第２のセクタパラメータメッセージを受信するように構成された受信ユニットと、
処理ユニットは、第２のセクタパラメータメッセージ、第２のセッションシード、および非コヒーレンスパラメータに従って第２の予期される周波数チャネル番号を獲得するようにさらに構成され、
第２の予期される周波数チャネル番号が現在の周波数チャネル番号と同一である場合、アクセス端末によって、監視周波数チャネル番号を第２の予期される周波数チャネル番号に切り換えるように構成された切換えユニットとを含む、アクセス端末を提供する。
【００１２】
第２の態様を参照して、第１の可能な実施様態において、処理ユニットは、
アクセス端末によって、第２のセクタパラメータメッセージにおける周波数チャネル番号の数量、第２のセッションシード、および非コヒーレンスパラメータに対してハッシュ計算を実行することによってハッシュインデックスを獲得し、および
アクセス端末によって、ハッシュインデックスに対応する第２の予期される周波数チャネル番号を第２のセクタパラメータメッセージから獲得するように特に構成される。
【００１３】
第２の態様または第１の可能な実施様態を参照して、第２の可能な実施様態において、送信ユニットは、
ネットワーク側に第２のセッションシードを送信して、ネットワーク側が、第２のセッションシードに従って、第２の予期される周波数チャネル番号と同一であり、かつアクセス端末にデータを送信するために使用される送信周波数チャネル番号を獲得することができるようにするようにさらに構成される。
【００１４】
第２の態様、または第１もしくは第２の可能な実施様態を参照して、第３の可能な実施様態において、処理ユニットは、
アクセス端末が、第１のセッションシードおよび第１のセクタパラメータメッセージに従って第１の予期される周波数チャネル番号を獲得する前に、エボリューションデータオプティマイズドセッションが閉じられた状態または初期設定プロセスにあるかどうかを決定して決定結果を獲得し、および
決定結果がいいえである場合、ネットワーク側に、エボリューションデータオプティマイズドセッションを閉じるために使用される通知メッセージを送信し、およびエボリューションデータオプティマイズドセッションを閉じるようにさらに構成される。
【００１５】
第２の態様、または第１乃至第３の可能な実施様態のいずれか１つを参照して、第４の可能な実施様態において、処理ユニットは、
第１の予期される周波数チャネル番号が現在の周波数チャネル番号とは異なると決定された場合、アクセス端末によって、監視周波数チャネル番号にキャンプオンし、および現在の周波数チャネル番号とは異なる第１の予期される周波数チャネル番号が獲得される回数が、第１のセクタパラメータメッセージにおける周波数チャネル番号の数量以上であるかを決定し、ならびに
現在の周波数チャネル番号が第１の予期される周波数チャネル番号とは異なる回数が、第１のセクタパラメータメッセージにおける周波数チャネル番号の数量以上である場合、アクセス端末によって、第１のセッションシードとは異なる第２のセッションシードを生成するように特に構成される。
【００１６】
第３の態様によれば、本発明の実施形態は、アクセス端末であって、
１または複数のプロセッサと、
メモリ、受信機、および１または複数のプログラムとを含み、１または複数のプログラムは、メモリに記憶され、かつ１または複数のプロセッサによって実行されるように使用され、かつ１または複数のプログラムは、
アクセス端末のエボリューションデータオプティマイズドセッションが閉じられた状態または初期設定プロセスにある場合、第１のセッションシードおよび第１のセクタパラメータメッセージに従って第１の予期される周波数チャネル番号を獲得するための命令と、
第１の予期される周波数チャネル番号が現在の周波数チャネル番号と同一であるかを決定するための命令であって、現在の周波数チャネル番号は、アクセス端末によって現在受信される信号の周波数チャネル番号である命令と、
第１の予期される周波数チャネル番号が現在の周波数チャネル番号とは異なると決定された場合、アクセス端末によって、第１のセッションシードとは異なる第２のセッションシードを生成するための命令と、
受信機を使用することによって、第２のセクタパラメータメッセージを受信するための命令と、
第２のセクタパラメータメッセージ、第２のセッションシード、および非コヒーレンスパラメータに従って第２の予期される周波数チャネル番号を獲得するための命令と、
第２の予期される周波数チャネル番号が現在の周波数チャネル番号と同一である場合、アクセス端末によって、監視周波数チャネル番号を第２の予期される周波数チャネル番号に切り換えるための命令とを含む、アクセス端末を提供する。
【００１７】
第３の態様を参照して、第１の可能な実施様態において、第２のセクタパラメータメッセージ、第２のセッションシード、および非コヒーレンスパラメータに従って第２の予期される周波数チャネル番号を獲得するための命令は、
アクセス端末によって、第２のセクタパラメータメッセージにおける周波数チャネル番号の数量、第２のセッションシード、および非コヒーレンスパラメータに対してハッシュ計算を実行することによってハッシュインデックスを獲得するための命令と、
アクセス端末によって、ハッシュインデックスに対応する第２の予期される周波数チャネル番号を第２のセクタパラメータメッセージから獲得するための命令とを含む。
【００１８】
第２の態様または第１の可能な実施様態を参照して、第２の可能な実施様態において、１または複数のプログラムは、
ネットワーク側に第２のセッションシードを送信して、ネットワーク側が、第２のセッションシードに従って、第２の予期される周波数チャネル番号と同一であり、かつアクセス端末にデータを送信するために使用される送信周波数チャネル番号を獲得することができるようにするための命令をさらに含む。
【００１９】
第２の態様、または第１もしくは第２の可能な実施様態を参照して、第３の可能な実施様態において、１または複数のプログラムは、
アクセス端末が、第１のセッションシードおよび第１のセクタパラメータメッセージに従って第１の予期される周波数チャネル番号を獲得することの前に、エボリューションデータオプティマイズドセッションが閉じられた状態または初期設定プロセスにあるかどうかを決定して決定結果を獲得するための命令と、
決定結果がいいえである場合、ネットワーク側に、エボリューションデータオプティマイズドセッションを閉じるために使用される通知メッセージを送信するため、およびエボリューションデータオプティマイズドセッションを閉じるための命令とをさらに含む。
【００２０】
第２の態様、または第１乃至第３の可能な実施様態のいずれか１つを参照して、第４の可能な実施様態において、第１の予期される周波数チャネル番号が現在の周波数チャネル番号とは異なると決定された場合、アクセス端末によって、第１のセッションシードとは異なる第２のセッションシードを生成するための命令は、
第１の予期される周波数チャネル番号が現在の周波数チャネル番号とは異なると決定された場合、アクセス端末によって、監視周波数チャネル番号にキャンプオンするための命令、および現在の周波数チャネル番号とは異なる第１の予期される周波数チャネル番号が獲得される回数が、第１のセクタパラメータメッセージにおける周波数チャネル番号の数量以上であるかを決定するための命令、ならびに
現在の周波数チャネル番号が第１の予期される周波数チャネル番号とは異なる回数が、第１のセクタパラメータメッセージにおける周波数チャネル番号の数量以上である場合、アクセス端末によって、第１のセッションシードとは異なる第２のセッションシードを生成するための命令を含む。
【００２１】
本発明の実施形態における前述の１または複数の技術的ソリューションは、少なくとも以下の技術的効果を有する。すなわち、
【００２２】
第１のセッションシードおよび第１のセクタパラメータメッセージに従ってアクセス端末によって獲得される第１の予期される周波数チャネル番号が、アクセス端末によって現在、受信される信号の現在の周波数チャネル番号とは異なる場合、アクセス端末は、第２のセッションシード、すなわち、新たなセッションシードを生成し、第２のセッションシード、第２のセクタパラメータメッセージ、および非コヒーレンスパラメータに従って第２の予期される周波数チャネル番号、すなわち、新たな予期される周波数チャネル番号を獲得し、第２の予期される周波数チャネル番号が現在の周波数チャネル番号と同一である場合、第２の予期される周波数チャネル番号をアクセス端末の監視周波数チャネル番号として使用する、すなわち、現在の周波数チャネル番号を監視周波数チャネル番号として使用する。信号が、現在の周波数チャネル番号上で受信され得るため、アクセス端末は、監視周波数チャネル番号に切り換えることに成功することが可能であり、このことは、監視周波数チャネル番号を切り換えることの失敗によってもたらされるＥＶＤＯサービス利用不能性の、従来技術において存在する技術的問題を解決し、かつ監視周波数チャネル番号を切り換えることの成功率、およびＥＶＤＯサービスのサービスの質を向上させる。
【図面の簡単な説明】
【００２３】
【図１】本発明の実施形態１による監視周波数チャネル番号を獲得するための方法の概略流れ図である。
【図２】本発明の実施形態１による監視周波数チャネル番号を切り換える第１の工程の流れ図である。
【図３】本発明の実施形態１による監視周波数チャネル番号を切り換える第２の工程の流れ図である。
【図４】本発明の実施形態２によるアクセス端末の構成のブロック図である。
【図５】本発明の実施形態３によるアクセス端末の構成のブロック図である。
【発明を実施するための形態】
【００２４】
監視周波数チャネル番号を切り換えることの失敗によってもたらされるＥＶＤＯサービスの利用不能の従来技術における技術的問題を解決するために、本発明の実施形態は、アクセス端末によって監視周波数チャネル番号を切り換えるための方法、およびアクセス端末を提供する。
【００２５】
本発明の実施形態の目的、技術的解決策、および利点をより明確にするために、以下、本発明の実施形態における添付の図面を参照して本発明の実施形態における技術的解決策を明確にかつ完全に説明する。明らかに、説明される実施形態は、本発明の実施形態のうちのいくつかであるが、すべてではない。独創的な努力なしに本発明の実施形態に基づいて当業者によって獲得される他のすべての実施形態は、本発明の保護範囲に含まれるべきものとする。
【００２６】
当業者は、本発明の実施形態および他の以下の実施形態において説明される方法が、特定の順序で現れる複数の動作を含むものの、方法が、より多くの、またはより少ない動作を含むことがあり、これらの動作は、順番に実行されること、または並行に実行されることがあり、順番は、厳密な順序ではないことを理解することができる。
【００２７】
本発明の実施形態において使用される用語は、特定の実施形態を例示する目的のために過ぎず、本発明を限定することは意図していない。本発明の実施形態および添付の特許請求の範囲において使用される単数形の「ある(a)」、「前記(said)」、および「その(the)」という用語は、文脈においてそうでないことが明確に指定されなければ、複数形を含むことも意図している。本明細書において使用される「および／または」という用語は、関連付けられたリストアップされる１または複数のアイテムのいずれか、または可能なすべての組合せを示し、かつ含むことも理解されたい。
【００２８】
「第１の」、「第２の」、および「第３の」などの用語が、様々なセッションシード、セクタパラメータメッセージ、および予期される周波数チャネル番号について説明するために本発明の実施形態において使用されることがあるものの、セッションシード、セクタパラメータメッセージ、および予期される周波数チャネル番号は、これらの用語によって限定されるべきでないことを理解されたい。これらの用語は、セッションシード、セクタパラメータメッセージ、および予期される周波数チャネル番号を区別するのに使用されるに過ぎない。例えば、本発明の実施形態の範囲を逸脱することなく、第１のセッションシードが、第２のセッションシードと呼ばれてもよく、同様に、第２のセッションシードが第１のセッションシードと呼ばれてもよい。
【００２９】
文脈に依拠して、本明細書において使用される「場合」という語は、「〜の時点において」、または「〜とき」、または「決定することに応答して」、または「検出することに応答して」として解釈され得る。同様に、文脈に依拠して、「決定された場合」、「決定された場合」、または「（説明される条件もしくはイベントが）検出された場合」という句は、「決定したとき」、「決定することに応答して」、「（説明される条件もしくはイベントを）検出したとき」、または「（説明される条件もしくはイベントを）検出したことに応答して」として解釈され得る。
【００３０】
以下、添付の図面を参照して本発明の例示的な実施様態を詳細に説明する。
【００３１】
実施形態１
図１を参照すると、本発明の実施形態は、アクセス端末によって監視周波数チャネル番号を切り換えるための方法を提供し、方法は、
【００３２】
Ｓ１０１。アクセス端末が、ＥＶＤＯセッション、すなわち、アクセス端末のエボリューションデータオプティマイズドセッションが閉じられた状態または初期設定プロセスにある場合、第１のセッションシードおよび第１のセクタパラメータメッセージに従って第１の予期される周波数チャネル番号を獲得する。
【００３３】
文脈に依拠して、本明細書において使用される「場合」という語は、「〜の時点において」、または「〜とき」、または「決定することに応答して」、または「検出することに応答して」として解釈され得る。同様に、文脈に依拠して、「決定された場合」、または「（説明される条件もしくはイベントが）検出された場合」という句は、「決定したとき」、「決定することに応答して」、「（説明される条件もしくはイベントを）検出したとき」、または「（説明される条件もしくはイベントを）検出したことに応答して」として解釈され得る。
【００３４】
Ｓ１０３。アクセス端末が、第１の予期される周波数チャネル番号が現在の周波数チャネル番号とは異なると決定された場合、第１のセッションシードとは異なる第２のセッションシードを生成する。
【００３５】
Ｓ１０４。アクセス端末が、第２のセクタパラメータメッセージを受信する。
【００３６】
Ｓ１０５。アクセス端末が、第２のセクタパラメータメッセージ、第２のセッションシード、および非コヒーレンスパラメータに従って第２の予期される周波数チャネル番号を獲得する。
【００３７】
Ｓ１０６。アクセス端末が、第２の予期される周波数チャネル番号が現在の周波数チャネル番号と同一である場合、監視周波数チャネル番号を第２の予期される周波数チャネル番号に切り換える。
【００３８】
アクセス端末のＥＶＤＯセッションは、３つの基本状態、すなわち、閉じられた状態（ｃｌｏｓｅｄ）、初期設定プロセス（ｉｎｉｔｉｎｇ）、および開いた状態（ｏｐｅｎ）のうちのいずれか１つにある。一般に、アクセス端末は、電源投入および再起動などの場合においてアクセス端末とネットワーク側のＥＶＤセッションとの間でＥＶＤＯセッションを初期設定する。アクセス端末とネットワーク側との間でＥＶＤＯセッションが終了した後に、ＥＶＤＯセッションは、閉じられた状態に入る。ＥＶＤＯセッションが閉じられた状態または初期設定プロセスにある場合、後記のように（図２参照）、アクセス端末が監視周波数チャネル番号を切り換える特定のプロセス、すなわち、
【００３９】
Ｓ２０１。ＥＶＤＯセッションがｃｌｏｓｅｄ／ｉｎｉｔｉｎｇ状態にある場合、アクセス端末が、第１のセクタパラメータメッセージ（ｓｅｃｔｏｒ  ｐａｒａｍｅｔｅｒ  ｍｅｓｓａｇｅ）を受信し、第１のセクタパラメータメッセージにおいて周波数チャネル番号リストおよび周波数チャネル番号の数量を獲得する。
【００４０】
Ｓ２０２。アクセス端末が、第１のセッションシード（ｓｅｓｓｉｏｎ  ｓｅｅｄ）および第１のセクタパラメータメッセージに従って第１の予期される周波数チャネル番号を獲得する。具体的には、アクセス端末は、第１のセクタパラメータメッセージにおける周波数チャネル番号の数量、第１のセッションシード、および非コヒーレンスパラメータを入力引数として使用し、ハッシュ関数を使用してハッシュインデックス（ｈａｓｈ  ｉｎｄｅｘ）を計算し、次に、第１のセクタパラメータメッセージから、周波数チャネル番号インデックスがハッシュインデックスである周波数チャネル番号を第１の予期される周波数チャネル番号として獲得する。例えば、計算によって獲得されるハッシュインデックスが１１である場合、周波数チャネル番号インデックスが１１である周波数チャネル番号が、第１のセクタパラメータメッセージから第１の予期される周波数チャネル番号として獲得される。セッションシードは、アドレス管理プロトコル（Ａｄｄｒｅｓｓ  Ｍａｎａｇｅｍｅｎｔ  Ｐｒｏｔｏｃｏｌ）において指定され、一般に、ＥＶＤＯ中にネットワークが初回に探索される時刻に基づいて生成される乱数であり、非コヒーレンスパラメータは、一般に、デフォルトで０であり、もちろん、別の値に設定されてもよいことに留意されたい。
【００４１】
Ｓ２０３。アクセス端末が、第１の予期される周波数チャネル番号が現在の周波数チャネル番号と同一であるかを決定し、現在の周波数チャネル番号は、アクセス端末によって現在受信される信号の周波数チャネル番号である。第１の予期される周波数チャネル番号が現在の周波数チャネル番号と同一であると決定された場合、それは、監視周波数チャネル番号が、予期される周波数チャネル番号に切り換えられた後に、アクセス端末が信号を良好に受信することができることを示し、アクセス端末は、Ｓ２０４を実行して、監視周波数チャネル番号を予期される周波数チャネル番号に切り換える、すなわち、アクセス端末は、現在の周波数チャネル番号にキャンプオンする。第１の予期される周波数チャネル番号が現在の周波数チャネル番号とは異なると決定された場合、それは、アクセス端末が、第１の予期される周波数チャネル番号から信号を受信することができないことがあることを示し、したがって、アクセス端末は、監視周波数チャネル番号を切り換えることをしない、すなわち、監視周波数チャネル番号にキャンプオンし、Ｓ２０５をさらに実行する。
【００４２】
アクセス端末のＥＶＤＯセッションは、３つの基本状態、すなわち、閉じられた状態（ｃｌｏｓｅｄ）、初期設定プロセス（ｉｎｉｔｉｎｇ）、および開いた状態（ｏｐｅｎ）のうちのいずれか１つにある。一般に、アクセス端末は、電源投入および再起動などの場合においてアクセス端末とネットワーク側のＥＶＤＯセッションとの間でＥＶＤＯセッションを初期設定する。アクセス端末とネットワーク側との間でＥＶＤＯセッションが終了した後に、ＥＶＤＯセッションは、閉じられた状態に入る。ＥＶＤＯセッションが閉じられた状態または初期設定プロセスにある場合、後記のように（図２参照）、アクセス端末が監視周波数チャネル番号を切り換える特定のプロセス、すなわち、
【００４３】
Ｓ２０６。アクセス端末が、ランダムアクセス端末ＩＤ（Ｒａｎｄｏｍ  Ａｃｃｅｓｓ  Ｔｅｒｍｉｎａｌ  Ｉｄｅｎｔｉｔｙ、略してＲＡＴＩ）を使用することによってネットワーク側に第２のセッションシードを送信して、ネットワーク側がセッションシードを更新するようにする。
【００４４】
Ｓ２０７。アクセス端末が、第２のセクタパラメータメッセージを受信し、第２のセクタパラメータメッセージにおいて周波数チャネル番号リストおよび周波数チャネル番号の数量を獲得する。アクセス端末は、ネットワークを再探索することによって第２のセクタパラメータメッセージを受信し、受信される第２のセクタパラメータメッセージは、第１のセクタパラメータメッセージと同一であることがあり、または異なることがあることに留意されたい。例えば、Ｓ２０７を実行するときにアクセス端末が位置付けられているネットワークが、Ｓ２０１を実行するときにアクセス端末が位置付けられているネットワークと同一である場合、受信される第２のセクタパラメータメッセージは、第１のセクタパラメータメッセージと同一である。Ｓ２０７を実行するときにアクセス端末が位置付けられているネットワークが、Ｓ２０１を実行するときにアクセス端末が位置付けられているネットワークとは異なる場合、受信される第２のセクタパラメータメッセージは、第１のセクタパラメータメッセージとは異なる。
【００４５】
Ｓ２０８。アクセス端末が、第２のセクタパラメータメッセージ、第２のセッションシード、および非コヒーレンスパラメータに従って第２の予期される周波数チャネル番号を獲得する。第２の予期される周波数チャネル番号を獲得するための方法は、第１の予期される周波数チャネル番号を獲得するための方法と同一である。すなわち、第２のセクタパラメータメッセージにおける周波数チャネル番号の数量、第２のセッションシード、および非コヒーレンスパラメータが入力引数として使用され、ハッシュ関数が使用されてハッシュインデックスが計算され、次に、周波数チャネル番号インデックスがハッシュインデックスである周波数チャネル番号が、第２のセクタパラメータメッセージから第２の予期される周波数チャネル番号として獲得される。
【００４６】
Ｓ２０９。アクセス端末が、第２の予期される周波数チャネル番号が現在の周波数チャネル番号と同一であるかを決定する。第２の予期される周波数チャネル番号が現在の周波数チャネル番号とは異なる場合、アクセス端末は、監視周波数チャネル番号を切り換えず、Ｓ２０５乃至Ｓ２０９に戻る。そうではなく、第２の予期される周波数チャネル番号が現在の周波数チャネル番号と同一である場合、アクセス端末は、Ｓ２１０を実行する。
【００４７】
Ｓ２１０。第２の予期される周波数チャネル番号が現在の周波数チャネル番号と同一である場合、アクセス端末が、監視周波数チャネル番号を第２の予期される周波数チャネル番号に切り換え、監視周波数チャネル番号を切り換える手順は終了する。
【００４８】
特定の実施プロセスにおいて、アクセス端末のＥＶＤＯセッションが開いた状態にある場合、アクセス端末は、監視周波数チャネル番号を切り換えることができない。したがって、本出願のこの実施形態において提供されるアクセス端末は、セクタパラメータメッセージを受信する前に、アクセス端末のＥＶＤＯセッションが閉じられた状態または初期設定プロセスにあるかを決定して決定結果を獲得し、決定結果がいいえである場合、ネットワーク側に、ＥＶＤＯセッションを閉じるために使用される通知メッセージを送信し、ＥＶＤＯセッションを閉じて、アクセス端末が、監視周波数チャネル番号を切り換えることができるようにする。アクセス端末とネットワーク側との間のＥＶＤＯセッションが閉じられた状態または初期設定プロセスにある場合、アクセス端末は、監視周波数チャネル番号を切り換え、特定のプロセスは、下記のとおりである（図３参照）。すなわち、
【００４９】
Ｓ３０１。アクセス端末がまず、ＥＶＤＯセッションのステータスを決定する、すなわち、ＥＶＤＯセッションが閉じられた状態または初期設定プロセスにあるかを決定する。具体的には、ＥＶＤＯセッションのステータスは、ＥＶＤＯセッションのステータスフィールドに従って決定され得る。例えば、ＥＶＤＯセッションのステータスフィールド「００」がクローズド（ｃｌｏｓｅｄ）を表し、「０１」が初期化（ｉｎｉｔｉｎｇ）を表し、「１０」がオープン（ｏｐｅｎ）を表すと想定され、アクセス端末は、ＥＶＤＯセッションのステータスフィールドが「００」または「０１」であるかを決定することによって、閉じられた状態または初期設定プロセスにあるかを決定することがある。ＥＶＤＯセッションが閉じられた状態または初期設定プロセスにある場合、アクセス端末は、Ｓ３０２を実行する。
【００５０】
Ｓ３０２。アクセス端末が、ネットワークを探索することによって、ネットワーク側（例えば、基地局）によって送信されるセクタパラメータメッセージ（ｓｅｃｔｏｒ  ｐａｒａｍｅｔｅｒ  ｍｅｓｓａｇｅ）、例えば、第１のセクタパラメータメッセージを受信する。一般に、セクタメッセージは、アクセス端末が予期される周波数チャネル番号を選択するためにネットワーク側によって提供される周波数チャネル番号リストを搬送する。セクタパラメータメッセージを受信した後に、アクセス端末は次に、Ｓ３０３を実行する。
【００５１】
Ｓ３０３。アクセス端末が、セクタパラメータメッセージにおける周波数チャネル番号の数量、セッションシード、および非コヒーレンスパラメータに従って、予期される周波数チャネル番号を獲得する。
【００５２】
例えば、第１のセクタパラメータメッセージにおける周波数チャネル番号の数量、第１のセッションシード、および非コヒーレンスパラメータが入力引数として使用され、ハッシュ関数が使用されてハッシュインデックスが計算され、次に、周波数チャネル番号インデックスがハッシュインデックスである周波数チャネル番号が、第１のセクタパラメータメッセージから、第１の予期される周波数チャネル番号として獲得される。非コヒーレンスパラメータは、ＥＶＤＯプロトコルにおいて指定される事前設定された番号であり、一般に、デフォルトの値は０である。第１のセッションシードは、アクセス端末がネットワークを探索するときに、時刻に基づいて生成される乱数であることがある。第１のセッションシードを生成した後に、アクセス端末は、ＲＡＴＩプロセスを使用することによってネットワーク側に第１のセッションシードを送信する。例えば、アクセス端末による計算によって獲得されるハッシュインデックスが１であり、かつ第１のセクタパラメータメッセージにおいて周波数チャネル番号インデックスが１である周波数チャネル番号がチャネル１１９である場合、アクセス端末は、チャネル１１９を、第１の予期される周波数チャネル番号として獲得する。次に、監視周波数チャネル番号における失敗を回避するために、アクセス端末は、Ｓ３０４をさらに実行する。
【００５３】
Ｓ３０４。アクセス端末は、獲得された予期される周波数チャネル番号が、アクセス端末によって現在受信される信号の現在の周波数チャネル番号と同一であるかを決定する。決定結果は、獲得された予期される周波数チャネル番号が、アクセス端末によって現在受信される信号の現在の周波数チャネル番号と同一である場合、Ｓ３０５が進められ、決定結果は、獲得された予期される周波数チャネル番号が、アクセス端末によって現在受信される信号の現在の周波数チャネル番号とは異なる場合、Ｓ３０６が進められる。
【００５４】
Ｓ３０５。予期される周波数チャネル番号が現在の周波数チャネル番号と同一である場合、監視周波数チャネル番号を、予期される周波数チャネル番号に切り換え、すなわち、現在の周波数チャネル番号にキャンプオンし、監視周波数チャネル番号を獲得する手順は終了する。
【００５５】
Ｓ３０６。予期される周波数チャネル番号が現在の周波数チャネル番号とは異なる場合、Ｓ３０６を実行して、ハッシュ計算の数量を記録するカウンタのカウント値を１だけ増加させ、次にＳ３０７を実行する。
【００５６】
Ｓ３０７。アクセス端末は、カウンタのカウント値が事前設定された閾値Ｎ以上であるかを決定し、Ｎは、正の整数である。好ましくは、Ｎは、現在のセクタパラメータメッセージにおける周波数チャネル番号の数量であり、例えば、セクタパラメータメッセージにおける周波数チャネル番号の数量が３である場合、Ｎは、３であることがある。
【００５７】
Ｓ３０７において、例えば、ＥＶＤＯセッションが閉じられた状態または初期設定プロセスにある場合に、カウント値がＮ未満であると決定された場合、アクセス端末が、第１のセッションシードに従って、現在の周波数チャネル番号とは異なる第１の予期される周波数チャネル番号を獲得する回数は、Ｎ未満であり、アクセス端末は、現在の監視周波数チャネル番号にキャンプオンして、監視周波数チャネル番号を切り換える失敗を回避し、Ｓ３０１乃至Ｓ３０７に戻り、アクセス端末は、新たなセクタパラメータメッセージを受信するためにネットワークを再探索し、セッションシード、新たなセクタパラメータメッセージ、および非コヒーレンスパラメータに従って新たな予期される周波数チャネル番号を生成して、誤ったセクタパラメータのために誤った予期される周波数チャネル番号を獲得することを回避するようにする。
【００５８】
Ｓ３０７において、例えば、アクセス端末のＥＶＤＯセッションが閉じられた状態または初期設定プロセスにある場合に、カウント値がＮ以上であると決定された場合、アクセス端末が、第１のセッションシードに従って、現在の周波数チャネル番号とは異なる第１の予期される周波数チャネル番号を獲得する回数は、Ｎ以上であり、この場合において、アクセス端末は、Ｓ１０１を実行して、新たなセッションシード、すなわち、第２のセッションシードを生成し、同時にカウンタをクリアする。
【００５９】
特定の実施プロセスにおいて、Ｓ３０７において、カウント値がＮより大きいと決定された場合、それは、アクセス端末の周りのネットワークが基本的に安定しているが、現在の周波数チャネル番号と同一である予期される周波数チャネル番号は、依然として獲得されていないことを示す。予期される周波数チャネル番号を獲得するためにアクセス端末によって使用される第１のセッションシードは、誤っていることがある。したがって、アクセス端末は、Ｓ３０８を実行して、第１のセッションシードとは異なる第２のセッションシードを再生成する、すなわち、新たなセッションシードを生成する。第２のセッションシードを生成した後、アクセス端末は、ＲＡＴＩプロセスを使用することによってネットワーク側に第２のセッションシードを送信して、ネットワーク側が、第２のセッションシードに従って、第２の予期される周波数チャネル番号と同一であり、かつアクセス端末にデータを送信するために使用される送信周波数チャネル番号を獲得することができるようにして、それにより、アクセス端末が、ネットワーク側によって送信されたデータを受信できることを確実にする。
【００６０】
第２のセッションシードを生成した後、または生成する場合、アクセス端末は、Ｓ１０２を実行して、ネットワークを再探索することによって第２のセクタパラメータメッセージを受信する。第１のセクタパラメータメッセージは、第２のセクタパラメータメッセージと同一であることがあり、または異なることがある。相応して、第２のセクタパラメータメッセージを受信した後、アクセス端末はすぐに、Ｓ１０３を実行して、第２のセクタパラメータメッセージ、第２のセッションシード、および非コヒーレンスパラメータに従って第２の予期される周波数チャネル番号を獲得する。
【００６１】
具体的には、アクセス端末は、第２のセクタパラメータメッセージにおける周波数チャネル番号の数量、第２のセッションシード、および非コヒーレンスパラメータに対してハッシュ計算を実行することによって、ハッシュインデックスを獲得することがあり、次に、ハッシュインデックスに対応する第２の予期される周波数チャネル番号を第２のセクタパラメータメッセージから獲得する。例えば、第２のセクタパラメータメッセージにおける周波数チャネル番号の数量、第２のセッションシード、および非コヒーレンスパラメータが入力引数として使用され、ハッシュ関数を使用することによって計算によって獲得されるハッシュインデックスは、３である。第２のセクタパラメータメッセージにおける周波数チャネル番号インデックス３に対応する周波数チャネル番号は、チャネル１７８であると想定される。アクセス端末は、第２のセクタパラメータメッセージから、周波数チャネル番号インデックスが３である周波数チャネル番号チャネル１７８を、第２の予期される周波数チャネル番号として獲得する。
【００６２】
第２の予期される周波数チャネル番号が獲得された場合、アクセス端末は、第２の予期される周波数チャネル番号が現在の周波数チャネル番号と同一であるかをさらに決定する。第２の予期される周波数チャネル番号が現在の周波数チャネル番号とは異なる場合、ハッシュ計算の数量を記録するために使用されるカウンタが１だけ増加し、次に、カウンタのカウント値がＮ以上であるかが決定される。ハッシュカウント値がＮ以上である場合、Ｓ１０１乃至Ｓ１０３が、現在の周波数チャネル番号と同一である第２の予期される周波数チャネル番号が獲得されるまで、繰り返し実行される。第２の予期される周波数チャネル番号が現在の周波数チャネル番号と同一である場合、アクセス端末は、Ｓ１０４を実行して、監視周波数チャネル番号を第２の予期される周波数チャネル番号に切り換える、すなわち、現在の周波数チャネル番号にキャンプオンする。例は、以下のとおりである。
【００６３】
アクセス端末によって受信される信号の現在の周波数チャネル番号は、チャネル１７８であり、第２のセクタパラメータメッセージ、第２のセッションシード、および非コヒーレンスパラメータに従ってアクセス端末によって獲得される第２の予期される周波数チャネル番号も、チャネル１７８である。次に、アクセス端末が、第２の予期される周波数チャネル番号チャネル１７８を、監視周波数チャネル番号として使用する。アクセス端末は、チャネル１７８上で送信された信号を現在受信することができ、このことは、チャネル１７８がアクセス端末を範囲に含めることができることを示し、アクセス端末は成功裡に、周波数チャネル番号チャネル１７８にキャンプオンすることができる。
【００６４】
前述の実施形態において、第１のセッションシードおよび第１のセクタパラメータメッセージに従ってアクセス端末によって獲得される第１の予期される周波数チャネル番号が、アクセス端末によって現在受信される信号の現在の周波数チャネル番号とは異なる場合、アクセス端末は、第２のセッションシードを再生成し、第２のセッションシード、第２のセクタパラメータ、および非コヒーレンスパラメータに従って第２の予期される周波数チャネル番号を獲得し、第２の予期される周波数チャネル番号が現在の周波数チャネル番号と同一である場合、第２の予期される周波数チャネル番号をアクセス端末の監視周波数チャネル番号として使用する、すなわち、現在の周波数チャネル番号を監視周波数チャネル番号として使用する。現在の周波数チャネル番号上で信号が受信することができるため、アクセス端末は成功裡に、監視周波数チャネル番号を切り換えることができ、このことは、監視周波数チャネル番号を切り換えることの失敗によってもたらされるＥＶＤＯサービスの利用不能の、従来技術において存在する技術的問題を解決し、かつ監視周波数チャネル番号を切り換えることの成功率、およびＥＶＤＯサービスのサービスの質を向上させる。
【００６５】
実施形態２
図４を参照すると、本出願の実施形態は、アクセス端末であって、
アクセス端末のエボリューションデータオプティマイズドセッションが閉じられた状態または初期設定プロセスにある場合、第１のセッションシードおよび第１のセクタパラメータメッセージに従って第１の予期される周波数チャネル番号を獲得し、第１の予期される周波数チャネル番号が現在の周波数チャネル番号と同一であるかを決定し、現在の周波数チャネル番号は、アクセス端末によって現在受信される信号の周波数チャネル番号であり、および第１の予期される周波数チャネル番号が現在の周波数チャネル番号とは異なると決定された場合、アクセス端末によって、第１のセッションシードとは異なる第２のセッションシードを生成するように構成された処理ユニット４０１と、
第２のセクタパラメータメッセージを受信するように構成された受信ユニット４０２と、ここで
処理ユニット４０１は、第２のセクタパラメータメッセージ、第２のセッションシード、および非コヒーレンスパラメータに従って第２の予期される周波数チャネル番号を獲得するようにさらに構成され、
第２の予期される周波数チャネル番号が現在の周波数チャネル番号と同一である場合、アクセス端末によって、監視周波数チャネル番号を第２の予期される周波数チャネル番号に切り換えることを行うように構成された切換えユニット４０３と
を含む、アクセス端末を提供する。
【００６６】
さらに、処理ユニット４０１は、アクセス端末によって、第２のセクタパラメータメッセージにおける周波数チャネル番号の数量、第２のセッションシード、および非コヒーレンスパラメータに対してハッシュ計算を実行することによってハッシュインデックスを獲得し、およびアクセス端末によって、ハッシュインデックスに対応する第２の予期される周波数チャネル番号を第２のセクタパラメータメッセージから獲得するように特に構成される。
【００６７】
さらに、送信ユニット４０２は、ネットワーク側に第２のセッションシードを送信して、ネットワーク側が、第２のセッションシードに従って、第２の予期される周波数チャネル番号と同一であり、かつアクセス端末にデータを送信するために使用される送信周波数チャネル番号を獲得することができるようにするようにさらに構成される。
【００６８】
さらに、処理ユニット４０１は、アクセス端末が、第１のセッションシードおよび第１のセクタパラメータメッセージに従って第１の予期される周波数チャネル番号を獲得する前に、エボリューションデータオプティマイズドセッションが閉じられた状態または初期設定プロセスにあるかを決定して決定結果を獲得し、および決定結果がいいえである場合、ネットワーク側に、エボリューションデータオプティマイズドセッションを閉じるために使用される通知メッセージを送信し、およびエボリューションデータオプティマイズドセッションを閉じるようにさらに構成される。
【００６９】
さらに、処理ユニット４０１は、第１の予期される周波数チャネル番号が現在の周波数チャネル番号とは異なると決定された場合、アクセス端末によって、監視周波数チャネル番号にキャンプオンし、および現在の周波数チャネル番号とは異なる第１の予期される周波数チャネル番号が獲得される回数が、第１のセクタパラメータメッセージにおける周波数チャネル番号の数量以上であるかを決定し、ならびに現在の周波数チャネル番号が第１の予期される周波数チャネル番号とは異なる回数が、第１のセクタパラメータメッセージにおける周波数チャネル番号の数量以上である場合、アクセス端末によって、第１のセッションシードとは異なる第２のセッションシードを生成するように特に構成される。
【００７０】
図１乃至図３での前述の実施形態における監視周波数チャネル番号を獲得するための前述の方法における様々なタイプの変形形態および特定の例は、この実施形態におけるアクセス端末にも適用可能である。監視周波数チャネル番号を獲得するための方法の前述の詳細な説明で、当業者は、この実施形態におけるアクセス端末の実施様態を明確に理解することができる。したがって、本明細書の簡潔のため、本明細書において再び詳細が説明されることはない。
【００７１】
実施形態３
図５を参照すると、本発明の実施形態が、アクセス端末の特定の実施形態を提供し、モバイル端末が、前述の実施形態における方法を使用することによって監視周波数チャネル番号を切り換える。本発明のこの実施形態は、アクセス端末であって、
１または複数のプロセッサ５０１と、
メモリ５０２、受信機５０３、および１または複数のプログラムと、ここで、１または複数のプログラムは、メモリに記憶され、かつ１または複数のプロセッサによって実行されるために使用され、かつ１または複数のプログラムは、
アクセス端末のエボリューションデータオプティマイズドセッションが閉じられた状態または初期設定プロセスにある場合、第１のセッションシードおよび第１のセクタパラメータメッセージに従って第１の予期される周波数チャネル番号を獲得するための命令と、
第１の予期される周波数チャネル番号が現在の周波数チャネル番号と同一であるかを決定するための命令であって、現在の周波数チャネル番号は、アクセス端末によって現在受信される信号の周波数チャネル番号である、命令と、
第１の予期される周波数チャネル番号が現在の周波数チャネル番号とは異なると決定された場合、アクセス端末によって、第１のセッションシードとは異なる第２のセッションシードを生成するための命令と、
受信機を使用することによって、第２のセクタパラメータメッセージを受信するための命令と、
第２のセクタパラメータメッセージ、第２のセッションシード、および非コヒーレンスパラメータに従って第２の予期される周波数チャネル番号を獲得するための命令と、
第２の予期される周波数チャネル番号が現在の周波数チャネル番号と同一である場合、アクセス端末によって、監視周波数チャネル番号を第２の予期される周波数チャネル番号に切り換えるための命令と
を含む、アクセス端末を提供する。
【００７２】
さらに、第２のセクタパラメータメッセージ、第２のセッションシード、および非コヒーレンスパラメータに従って第２の予期される周波数チャネル番号を獲得するための命令は、
アクセス端末によって、第２のセクタパラメータメッセージにおける周波数チャネル番号の数量、第２のセッションシード、および非コヒーレンスパラメータに対してハッシュ計算を実行することによってハッシュインデックスを獲得するための命令と、
アクセス端末によって、ハッシュインデックスに対応する第２の予期される周波数チャネル番号を第２のセクタパラメータメッセージから獲得するための命令とを含む。
【００７３】
さらに、１または複数のプログラムは、
送信機５０４によって、ネットワーク側に第２のセッションシードを送信して、ネットワーク側が、第２のセッションシードに従って、第２の予期される周波数チャネル番号と同一であり、かつアクセス端末にデータを送信するために使用される送信周波数チャネル番号を獲得することができるようにするための命令をさらに含む。
【００７４】
さらに、１または複数のプログラムは、
アクセス端末が、第１のセッションシードおよび第１のセクタパラメータメッセージに従って第１の予期される周波数チャネル番号を獲得する前に、エボリューションデータオプティマイズドセッションが閉じられた状態または初期設定プロセスにあるかを決定して決定結果を獲得するための命令と、
決定結果がいいえである場合、ネットワーク側に、エボリューションデータオプティマイズドセッションを閉じるために使用される通知メッセージを送信するため、およびエボリューションデータオプティマイズドセッションを閉じるための命令とをさらに含む。
【００７５】
さらに、第１の予期される周波数チャネル番号が現在の周波数チャネル番号とは異なると決定された場合、アクセス端末によって、第１のセッションシードとは異なる第２のセッションシードを生成するための命令は、
第１の予期される周波数チャネル番号が現在の周波数チャネル番号とは異なると決定された場合、アクセス端末によって、監視周波数チャネル番号にキャンプオンするための命令と、現在の周波数チャネル番号とは異なる第１の予期される周波数チャネル番号が獲得される回数が、第１のセクタパラメータメッセージにおける周波数チャネル番号の数量以上であるかを決定するための命令と、
現在の周波数チャネル番号が第１の予期される周波数チャネル番号とは異なる回数が、第１のセクタパラメータメッセージにおける周波数チャネル番号の数量以上である場合、アクセス端末によって、第１のセッションシードとは異なる第２のセッションシードを生成するための命令とを含む。
【００７６】
図１乃至図３での前述の実施形態における監視周波数チャネル番号を獲得するための前述の方法における様々なタイプの変形形態および特定の例は、この実施形態におけるアクセス端末にも適用可能である。監視周波数チャネル番号を獲得するための方法の前述の詳細な説明で、当業者は、この実施形態におけるアクセス端末の実施様態を明確に理解することができる。したがって、本明細書の簡潔のため、本明細書において詳細が再び説明されることはない。
【００７７】
本発明の１または複数の実施形態が、以下の技術的効果を実現し得る。
【００７８】
第１のセッションシードおよび第１のセクタパラメータメッセージに従ってアクセス端末によって獲得される第１の予期される周波数チャネル番号が、アクセス端末によって現在受信される信号の現在の周波数チャネル番号とは異なる場合、アクセス端末は、第２のセッションシードを再生成し、第２のセッションシード、第２のセクタパラメータ、および非コヒーレンスパラメータに従って第２の予期される周波数チャネル番号を獲得し、第２の予期される周波数チャネル番号が現在の周波数チャネル番号と同一である場合、第２の予期される周波数チャネル番号をアクセス端末の監視周波数チャネル番号として使用する、すなわち、現在の周波数チャネル番号を監視周波数チャネル番号として使用する。現在の周波数チャネル番号上で信号が受信することができるため、アクセス端末は成功裡に、監視周波数チャネル番号を切り換えることができ、このことは、監視周波数チャネル番号を切り換えることの失敗によってもたらされるＥＶＤＯサービスの利用不能の、従来技術において存在する技術的問題を解決し、かつ監視周波数チャネル番号を切り換えることの成功率、およびＥＶＤＯサービスのサービスの質を向上させる。
【００７９】
当業者は、本発明の実施形態が、方法、システム、またはコンピュータプログラム製品として提供され得ることを理解するはずである。したがって、本発明は、ハードウェアだけの実施形態、ソフトウェアだけの実施形態、またはソフトウェアとハードウェアの組合せを有する実施形態の形態を使用することがある。さらに、本発明は、コンピュータ使用可能プログラムコードを含む１または複数のコンピュータ使用可能記憶媒体（ディスクメモリ、ＣＤ−ＲＯＭ、光メモリ、および類似したものを含むがそれらに限定されない）上で実施されるコンピュータプログラム製品の形態を使用し得る。
【００８０】
本発明は、本発明の実施形態による方法、デバイス（システム）、およびコンピュータプログラム製品の流れ図および／またはブロック図を参照して説明される。コンピュータプログラム命令が、流れ図および／またはブロック図における各プロセスおよび／または各ブロック、ならびに流れ図および／またはブロック図におけるプロセスおよび／またはブロックの組合せを実施するために使用され得ることを理解されたい。これらのコンピュータプログラム命令は、汎用コンピュータ、専用コンピュータ、組込み型プロセッサ、または他の任意のプログラマブルデータ処理デバイスのプロセッサが、マシンを生成するために提供されてよく、コンピュータ、または他の任意のプログラマブルデータ処理デバイスのプロセッサによって実行される命令が、流れ図における１または複数のプロセスにおける、かつ／またはブロック図における１または複数のブロックにおける特定の機能を実現するための装置を生成するようになる。
【００８１】
これらのコンピュータプログラム命令は、コンピュータまたは他の任意のプログラマブルデータ処理デバイスが特定の様態で機能するように命令することができるコンピュータ可読メモリに記憶されてもよく、コンピュータ可読メモリに記憶された命令が、命令装置を含む製品を生成するようになる。命令装置は、流れ図における１または複数のプロセスにおける、かつ／またはブロック図における１または複数のブロックにおける特定の機能を実現する。
【００８２】
これらのコンピュータプログラム命令は、コンピュータまたは別のプログラマブルデータ処理デバイスにロードされてもよく、一連の動作およびステップがそのコンピュータ上、またはその別のプログラマブルデバイス上で実行されて、それにより、コンピュータ実施処理を生成するようになる。したがって、そのコンピュータ上、またはその別のプログラマブルデバイス上で実行される命令が、流れ図における１または複数のプロセスにおける、かつ／またはブロック図における１または複数のブロックにおける特定の機能を実現するためのステップを提供する。
【００８３】
本発明のいくつかの好ましい実施形態が説明されたが、当業者は、基本的な発明概念を知ると、これらの実施形態に変更および改変を行うことができる。したがって、添付の特許請求の範囲は、例示的な実施形態、ならびに本発明の範囲に入るすべての変更および改変を範囲に含むように解釈されることが意図される。
【００８４】
明らかに、当業者は、本発明の実施形態の趣旨および範囲を逸脱することなく、本発明の実施形態に様々な改変および変形を行うことができる。本発明は、これらの改変および変形を、それらが添付の特許請求の範囲およびそれらと均等の技術によって規定される保護の範囲に入れば、範囲に含むことを意図している。
【図１】
0006275882.tif 000002
【図２】
0006275882.tif 000003
【図３】
0006275882.tif 000004
【図４】
0006275882.tif 000005
【図５】
0006275882.tif 000006